(57)【要約】【課題】透明フィルム等、表面に光沢性のある光透過媒体上の印刷等マーク（ロールフィルム終端マーク等）検出を光沢面の反射の影響を受けず光反射型センサで実現する。【解決手段】光反射型センサに正対して光反射手段を設け、このセンサ、反射手段間空間上に透明媒体を光反射型センサと光反射手段を結ぶ直線とその面が直交しないように配置し、透明媒体上での反射光がセンサに戻らないようにする。【選択図】        図１
2004163267.tif 000002
【特許請求の範囲】
【請求項１】
投光手段と受光手段を対とする光反射型センサとこれに正対する反射手段を有し、これら光反射型センサと反射手段が正対する空間上に概ね光透過の媒体を置き、この媒体上の他の部分に対して相対的に光透過率の異なるマークあるいは前記光透過媒体に換えて前記光透過媒体と異なる光透過率の媒体が置かれたことを検出するマーク検出装置において、光反射型センサと反射手段を結ぶ直線に対し、検出すべき媒体面が実効的に直交しないよう配置されたことを特徴とするマーク検出装置。
【発明の詳細な説明】
【０００１】
【発明の属する技術分野】
本発明は概ね透明の媒体に設けられた透過率が異なるマーキングの検知、例えば透明ロールフィルムに設けられたロールフィルム終端マークの検出装置のような、光透過量による検出装置、特に投光手段と受光手段が媒体に対して同じ面側に配置された、光反射型の検出装置に関する。
【０００２】
【従来の技術】
従来より例えば特開平０５−０４０９８０等にあるように光反射型センサを用い、検出すべき透明媒体を挟んで反射手段を設置し、投光手段より発せられた信号光が媒体を透過して反射手段より反射してくる信号光を受光するように構成された透明媒体のマーク検出装置は知られている。この方法を用いて透明フィルムロール、例えば転写フィルムロール等の終端近傍に非透過なマークを設け、これを検出する終端検知機構を作ることが可能である。
【０００３】
【発明が解決しようとする課題】
しかし透過、非透過を判別するためには非透過状態において反射率が十分低いことが必要であり、光沢面を持ったフィルム等では特に正反射光が大きく、透過非透過の受光信号比が大きく取れないと言う欠点があった。
【０００４】
【課題を解決するための手段】
本発明は上記を鑑み、これを解決すべく考案されたものであり、本発明に係る第１の発明は、正対する光反射型センサと反射手段の間に検出すべき媒体を、正対する光反射型センサと反射手段を結ぶ直線に対し、検知すべき媒体面が実効的に直交しないよう配置されたことを特徴とする。
【０００５】
【発明の実施の形態】
［第１の実施例］
図１は本発明第１の実施例の構成を示す概略図であり、ａは光軸面上方より見た図でありｂは光軸面側方より見た図である。図１において、１は光反射型センサユニットである。２は光反射型センサ１を構成する投光手段であり、光源であるところの発光ダイオード、投光光学系よりなる。３は光反射型センサ１を構成する受光手段であり、受光センサであるところのフォトトランジスタ、受光光学系よりなる。投光光軸と受光光軸は互いに平行に正対する反射手段方向に向いている。４は光反射手段であるところのコーナーキューブであり、光反射型センサユニット１と適当な距離を置いて正対している。またコーナーキューブのコーナーは光反射型センサ１の投光手段２と受光手段３の中央に相当する位置に配される。５は検出すべき媒体である透明フィルムであり、検出すべき終端等を示すマークとして光を透過しないあるいは十分に透過率が低い部材が塗布されている。透明フィルム５は、適当な距離を置いて互いに正対する光反射型センサユニット１とコーナーキューブ４の間に配され、かつフィルム面が光反射型センサユニット１とコーナーキューブ４を結ぶ直線に実効的に直交しないよう置かれる。
【０００６】
以上のような構成にて、投光手段２より発せられた光束は透明フィルム５に表面より入射、透過し反射手段コーナーキューブ４に入ると内部で２度の反射を経て、入射光軸と平行逆向きに、かつコーナーキューブのコーナーを中心に対称な位置に光軸位置をずらして反射する。反射光は再び透明フィルムに裏面より入射，透過して投光手段近傍に配された受光手段３に入射する。透明フィルム５上の非透過処理がなされたマーク部が、この光反射型センサ１と反射手段コーナーキューブ４の間に置かれると、前記２箇所の光束の透明フィルム透過個所において信号光は遮断され、受光手段３にて信号光がセンスされず、透明フィルム５の非透過部が光反射型センサ１と反射手段コーナーキューブ４の間に達したことが検知できる。このとき投光手段より発せられた信号光は透明フィルム面にて透過する成分とともに反射する成分があるが、この反射光はフィルム面に直交な軸を中心に対称な方向に出射される。透明フィルム５はフィルム面が光反射型センサユニット１とコーナーキューブ４を結ぶ直線に実効的に直交しないよう置かれるため、反射光は光反射型センサから外れた方向へ向かい、受光手段にて受光されないないしは実効的に受光されない。
【０００７】
尚ここでは説明の都合上、便宜的に透明フィルムの表面裏面と記したが、本来の透明フィルムの機能的な表裏は何れでも構わない。
【０００８】
［第２の実施例］
図２は本発明第２の実施例の構成を示す概略図であり、ａは光軸面上方より見た図でありｂは光軸面側方より見た図である。図２において、６は光反射型センサユニットである。７は光反射型センサ６を構成する投光手段であり、光源であるところの発光ダイオード、投光光学系よりなる。８は光反射型センサ６を構成する受光手段であり、受光センサであるところのフォトトランジスタ、受光光学系よりなる。投光光軸と受光光軸は光反射型センサユニット６より所定距離のところで交わるよう構成される。９は光反射手段であるところの光反射面であり、光反射型センサユニット１から前記所定距離を置いて正対している。１０は検出すべき媒体である透明フィルムであり、検出すべき終端等を示すマークとして光を透過しないあるいは十分に透過率が低い部材が塗布されている。透明フィルム１０は、適当な距離を置いて互いに正対する光反射型センサユニット６と光反射面９の間に配され、かつフィルム面が光反射型センサユニット６と光反射面９を結ぶ直線に実効的に直交しないように、光反射面９と実効的には平行しないよう置かれる。
【０００９】
以上のような構成にて、投光手段７より発せられた光束は透明フィルム１０に表面より入射、透過し光反射面９にて面に対する入射角と等しい出射角にて面に直交する軸に対して対象に反射する。反射光は再び透明フィルムに裏面より入射，透過して投光手段７近傍に配された受光手段８に入射する。透明フィルム１０上の非透過処理がなされたマーク部が、この光反射型センサ６と光反射面９の間に置かれると、前記２箇所の光束の透明フィルム透過個所において信号光は遮断され、受光手段８にて信号光がセンスされず、透明フィルム１０の非透過部が光反射型センサ６と光反射面９の間に達したことが検知できる。このとき投光手段７より発せられた信号光は透明フィルム面にて透過する成分とともに反射する成分があるが、この反射光はフィルム面に直交な軸を中心に対称な方向に出射される。透明フィルム１０はフィルム面が光反射型センサユニット６と光反射面９を結ぶ直線に実効的に直交しないよう置かれるため、反射光は光反射型センサから外れた方向へ向かい、受光手段にて受光されないないしは実効的に受光されない。
【００１０】
【発明の効果】
以上説明したように、本出願に係る第１の発明よれば、投光手段と受光手段を対とする光反射型センサとこれに正対する反射手段を有し、これら光反射型センサと反射手段が正対する空間上に実効的に透明な媒体を置き、この媒体上の他の部分に対して相対的に光透過率の異なるマークを検出するマーク検知装置において、光反射型センサと反射手段を結ぶ直線に対し、検知すべき媒体面が実効的に直交しないよう配置することで、透明媒体面での反射光の受光手段への影響を減じ、マーク有無の信号比を大きくとることを可能にし、調整を容易にあるいはノイズに強いマーク検出が可能になる。
【図面の簡単な説明】
【図１】本発明第１の実施例の構成を示す概略図。
【図２】本発明の第２の実施例の構成を示す概略図。
【符号の説明】
１  光反射型センサユニット
２  投光手段
３  受光手段
４  コーナーキューブ
５  透明フィルム
６  光反射型センサユニット
７  投光手段
８  受光手段
９  光反射面
１０  透明フィルム
【図１】
2004163267.tif 000003
【図２】
2004163267.tif 000004